【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
弾性複合材であって、
第１の不織布層状キャリアと、
前記第１のキャリアから間隔を空けられた第２の不織布層状キャリアと、
第１のキャリアから第２のキャリアへと全体的に側方に延び、それによってその間の弾性領域を形成する複数の相互に間隔の空いた、幅方向の弾性要素と、を含むことを特徴とする弾性複合材。
【請求項２】
弾性領域が露出した弾性構造を提供する複数の弾性要素から構成される、請求項１の弾性複合材。
【請求項３】
第１および第２の不織布キャリアのそれぞれは、第１の不織布層、第２の不織布層、およびその間に挟まれた相互に間隔の空いた複数の弾性要素の端部を含む、請求項２の弾性複合材。
【請求項４】
弾性領域はさらに上部の不織布層および下部の不織布層を含み、前記上部および下部の不織布層が第１のキャリアから第２のキャリアへと延び、第１および第２の不織布層の間に弾性要素が挟まれている、請求項２の弾性複合材。
【請求項５】
キャリアが全体的に機械の方向の長手方向に延び、キャリアの幅が弾性領域の横方向の幅よりも実質的に小さい、請求項３の弾性複合材。
【請求項６】
複数の弾性要素のそれぞれは一つの弾性ストランドの別個の連結されていないセグメントである、請求項１の弾性複合材。
【請求項７】
弾性複合材を製造する方法であって、
材料の第１のシートを搬送するステップと、
弾性材の部分を第１のシートの周りに巻きつけ、それによって第１のシートを横切って横方向に弾性材を適用するステップと、
弾性材が加えられた前記第１のシート上に材料の第２のシートを付加し、それによって第１のシート、第２のシート、およびその間に挟まれた弾性材を含むサブ複合材を形成するステップを含み、弾性材は、サブ複合材の一方の側から外側に延び、取り囲んでサブ複合材の反対側に戻り、
第１および第２のシートおよび弾性材を貫通して、サブ複合材を切断し、サブ複合材の二つの別個の部分およびその間の露出した弾性領域を持つ弾性複合材を生成するステップと、を含むことを特徴とする方法。
【請求項８】
前記切断ステップは、サブ複合材を第１のキャリアおよび第２のキャリアに分離するステップを含み、それぞれのキャリアは第１の材料層および第２の材料層を含み、それによって複数の間隔の空いた弾性要素が第１のキャリアから第２のキャリアへと延び、第１および第２のキャリアがその間の露出した弾性領域を定義する、請求項７の方法。
【請求項９】
前記搬送するステップは、コンベア上で材料の第１のシートを搬送し、前記包むステップは、弾性材の部分を第１のシートおよびコンベアの周りに巻きつける、請求項７の方法。
【請求項１０】
材料のシートを露出した弾性領域上に付加し、それによって横方向の弾力性を持つ複数層の弾性領域を生成するステップを含む、請求項７の方法。
【請求項１１】
前記付加するステップは、材料のシートを弾性領域の一側部に付加し、前記方法は、材料の第２のシートを弾性領域の第２の側部に適用し、それによって二つの材料層および横方向の弾力性を持つ複数層の積層体を形成するステップを更に含む、請求項１０に記載の方法。
【請求項１２】
積層体を一つ以上のスリット線に沿って細長く切断して、複数の横方向の弾性複合材を生成するステップを更に含む、請求項１１の方法。
【請求項１３】
少なくとも一つの付加するステップは、生成する積層体が、２つの不織布層が互いに接着してその間に複数の弾性材を挟む、指定された領域に対応する弾性領域の粘着領域と、不織布層が互いに接着されていない粘着性の無い領域とを含むように、材料のシートの複数の指定された領域にのみ接着剤を塗布するステップを含み、
前記細長く切断するステップは、複数の横方向の弾性複合材のそれぞれが粘着性のある領域に対応する中央の弾性領域と、粘着性のない領域の部分に対応する中央の弾性材に隣接する弾性的でない領域が含まれるように、積層体を粘着性のない領域に沿って細長く切断して、粘着性のない領域を分断し、粘着性のない領域内で弾性材を切断するステップを含む、請求項１２に記載の方法。
【請求項１４】
第２の付加するステップは、生成する積層体が、複数の弾性材の上に、少なくとも二つの折り畳まれたフラップを含むように、第１のシート上に付加する前に、材料のシートの少なくとも二つの部分をあらかじめ折り畳むステップを含み、
前記細長く切断するステップは、積層体を折り畳まれたフラップに沿って細長く切断して、折り畳まれたフラップの下で弾性材を切断するステップを含み、
生成する幅方向の弾性複合材それぞれの折り畳まれたフラップを開き、その内部の弾性的でない領域をあらわにし、前記弾性的でない領域は多層の弾性領域に隣接して位置する、請求項１０に記載の方法。
【請求項１５】
第１のシートおよびその上に付加された弾性材を第２のシートと結合させる方向に移動させるために、コンベアを採用するステップをさらに含む、請求項９の方法。
【請求項１６】
前記巻きつけるステップが、弾性材を第１および第２のコンベアの両方の周りに巻きつけるように、第２のコンベアを第１のコンベアに対して間隔を空けて配置するステップと、
前記巻きつけるステップの後、第１のシートとその上に付加された弾性材を第２のシートと結合する方向に移動させる第１のコンベアと調和させて、弾性材を移動させる第２のコンベアを用いるステップを更に含む、請求項１５の方法。
【請求項１７】
搬送ステップおよび付加するステップは、それぞれ、不織布のシートを搬送および付加する、請求項７の方法。
【請求項１８】
サブ複合材の第１および第２の部品を結合させて、第１および第２の部品を機械方向に前方に移動させることにより弾性複合材を機械方向に前方に搬送するステップから構成される、請求項７の方法。
【請求項１９】
弾性複合材を搬送するステップは、第１および第２の部品を互いに異なる方向に前方に配向し、それによって露出した弾性領域の横方向の幅を延ばす手順が含まれる、請求項１８の方法。
【請求項２０】
材料のシートを伸長された横方向の幅を持つ露出した弾性領域上に付加し、それによって幅方向の弾力性を有する多層の弾性領域を生成するステップを含む、請求項１９の方法。
【請求項２１】
弾性複合材を製造する方法であって、
材料の第１のシートを搬送するステップと、
第１のシートの周りに弾性材の部分を巻きつけ、それによって第１のシートを横切って横方向に弾性材を適用するステップと、
材料の第２のシートを、前記付加された弾性材を持つ第１のシート上に、かつ結合するように付加し、それによって弾性材が前記結合体から延び、結合体の一方の側を貫通して取り囲み、結合体の反対側を通って結合体内に戻すステップと、
第１および第２のシートおよび弾性材を貫通して切断し弾性複合材を生成し、それによって結合体を間隔を空けられた２つの半部に分離し、それぞれの半部は第１の材料層および第２の材料層を含み、それによって複数の間隔の空いた弾性要素が第１の半部から第２の半部に延びて、その間に露出した弾性領域を構成するステップと、を含むことを特徴とする方法。
【請求項２２】
二つのそれぞれの半部を結合させて二つの半部を前方に移動させることにより、弾性複合材を搬送するステップを更に含む、請求項２１の方法。
【請求項２３】
二つの半部を異なる方向に前方に移動させ、それによって弾性複合材を横方向に延ばすステップを更に含む、請求項２２の方法。
【請求項２４】
第１のシートがコンベアによって搬送され、巻きつけるステップによって弾性材をコンベアおよび第１のシートの周りに巻きつける、請求項２１の方法。
【請求項２５】
幅方向の弾性複合材であって、
弾性複合材の機械方向に対応した長手方向を持つ少なくとも第１の層を持つ第１の層状の境界と、
弾性複合材の機械方向に対応した長手方向を持つ少なくとも第１の層を持つ第２の層状の境界と、
第１の境界から第２の境界に横方向に延び、それによってその間の開かれた弾性領域を形成する、相互に間隔の空いた幅方向の複数の弾性要素とを含む、ことを特徴とする幅方向の弾性複合材。
【請求項２６】
それぞれの境界が、第１の層、第２の層、およびその間に挟まれた弾性要素の端部を含み、前記第１および第２の層が幅方向の弾性材に対して全体的に長手方向に横切る方向に延び、それぞれの境界が実質的に第１および第２の境界間の横方向の幅よりも小さい横方向の幅を持つ、請求項２５の幅方向の弾性複合材。
【請求項２７】
使い捨て吸収衣料品であって、
表面シートと、
表面シートおよび裏面シートの間に配置された吸収性の芯部とを含み、長手方向中心線が表面シート、裏面シート、および吸収性の芯部を通って延び、また、表面シートおよび裏面シートが正面の端縁および後方の端縁を構成し、それを貫通して長手方向中心線が延び、一対の側縁が芯部の反対側に配置され、端縁の間に延び、表面シート、裏面シート、および吸収性の芯部が中心体を提供し、
中心体に取り付けられた弾性複合材を含み、
弾性複合材の機械方向に対応した長手方向を持つ少なくとも第１の層を持つ第１の層状の境界を持つ弾性複合材と、
弾性複合材の機械方向に対応した長手方向を持つ少なくとも第１の層を持つ第２の層状の境界と、を含み、
第２の層状の境界は、第１の層状の境界から間隔を空けられている、
第１の境界から第２の境界に横方向に延び、それによってその間の開かれた弾性領域を形成する、相互に間隔の空いた幅方向の複数の弾性要素と、を含むことを特徴とする使い捨て吸収衣料品。
【請求項２８】
それぞれの層状の境界は、第１の層、第２の層、およびその間に挟まれた弾性要素の端部を含み、その層が幅方向の弾性材に対して横向きに全体的に長手方向に延びており、
それぞれの境界が、第１および第２の境界間の横方向の幅よりも実質的に小さい横方向の幅を有する請求項２７の使い捨て吸収衣料品。
【請求項２９】
弾性複合材が中心体の正面または後方の端縁に沿って取り付けられ、それによって使い捨て吸収用品の腰の端部に弾性を持たせる、請求項２７の使い捨て吸収衣料品。
【請求項３０】
弾性複合材が側縁を越えて横方向に延び、一対の腰固定用サイドパネルを提供する、請求項２９の使い捨て吸収衣料品。
【請求項３１】
幅方向の弾性複合材を製造するシステムであって、
不織布の第１のシートを搬送するためのコンベアと、
弾性材を全体的に横切る方向に付加するために、弾性材のセクションを第１のシートを含めてコンベアの周りに回転させるように位置決めされたスピナーと、
不織布の第１のシートの移動する基材およびその上を横切って付加された弾性材上に不織布シートを配送するために、スピナーの前方に位置決めされ、コンベアと結合状態にある不織布の入力供給源と、
第１の不織布、第２の不織布、およびその間に挟まれた弾性材のサブ複合材を細長く切断して、それによって第１および第２の不織布およびその間の弾性材の端部により形成された間隔を空けられた一対の層状のキャリアと、層状のキャリアの間の開かれた弾性領域を持つ新しい弾性複合材とを形成するために、不織布の入力供給源の上流に位置決めされたスリッターと、を含むことを特徴とするシステム。
【請求項３２】
スピナーが第１および第２のコンベアの両方の周りで弾性材を回転させ、第２のコンベアが、付加された弾性材を第１のコンベアと調和させて前方に搬送するよう位置決めされるように、第１のコンベアに隣接して位置決めされた第２のコンベアを更に含む、請求項３１のシステム。
【請求項３３】
新しい弾性複合材を受け取り、かつキャリアを結合させることにより新しい弾性複合材を前方に移動するための伸長機を更に含み、
前記伸長機は、一つの咬合手段が他の咬合手段からそれて、それとともに移動中の弾性複合材を伸ばす部分を含む、往復運動する経路の周りを移動するように構成されている連続した二つの咬合手段を含む、請求項３１のシステム。